(57)【要約】【課題】  装置内に放置された光ディスクの白化現象や光ピックアップの対物レンズ等の光学部品の白化現象を抑制し、光ディスク装置の長寿命化と高信頼性を図る。【解決手段】  光ディスクを装置内に搬出入するローディング機構２０と、装置内に装着された光ディスクにレーザ光を照射して情報の記録または再生を行う光ピックアップ手段３０とを備えた光ディスク装置１において、装置内のローディング機構２０により光ディスクが装着される空間の上側と側方、並びに、光ピックアップ手段３０の対物レンズ３１の周囲近傍に、大気中の硫酸アンモニウムを吸着する炭素系吸着シート５Ａ，５Ｂ，５Ｃを貼り付けている。【選択図】        図１
2005174493.tif 000002
【特許請求の範囲】
【請求項１】
光ディスクを装置内に搬出入するローディング機構と、装置内に装着された光ディスクにレーザ光を照射して情報の記録または再生を行う光ピックアップ手段とを備えた光ディスク装置において、
上記ローディング機構により光ディスクが装置内に装着される空間の上側と側方、並びに、上記光ピックアップ手段中の光ディスクの記録面にレーザ光を集束させる対物レンズの周囲近傍に、大気中の硫酸アンモニウムを吸着する炭素系吸着シートが取り付けられていることを特徴とする光ディスク装置。
【請求項２】
光ディスクを装置内に搬出入するローディング機構と、装置内に装着された光ディスクにレーザ光を照射して情報の記録または再生を行う光ピックアップ手段とを備えた光ディスク装置において、
当該装置内の上記ローディング機構により光ディスクが装着される箇所の近傍に、大気中の硫酸アンモニウムを吸着する吸着剤が取り付けられていることを特徴とする光ディスク装置。
【請求項３】
上記吸着剤は炭素系吸着剤であることを特徴とする請求項２記載の光ディスク装置。
【請求項４】
上記の吸着剤はシート状に成型されていることを特徴とする請求項２又は３に記載の光ディスク装置。
【請求項５】
装置内の光ディスクが装着される空間の上側と側方に上記吸着剤が取り付けられることを特徴とする請求項２〜４の何れかに記載の光ディスク装置。
【請求項６】
上記光ピックアップ手段の光ディスクの記録面にレーザ光を集束させる対物レンズの周囲近傍に上記吸着剤が取り付けられていることを特徴とする請求項２〜５の何れかに記載の光ディスク装置。
【発明の詳細な説明】
【技術分野】
【０００１】
この発明は、例えばＤＶＤプレイヤやＤＶＤビデオレコーダなどの光ディスク装置に関し、特に光ディスク装置の寿命を長くする技術に関する。
【背景技術】
【０００２】
ＤＶＤ（デジタル多用途ディスク）や青紫レーザ用の光ディスクなどの各種の光ディスクにおいて、情報が記録される記録層を覆って保護する透明層には例えばポリカーボネイトなどの材料が使用されている。また、レーザ光を光ディスクの記録面に収束する対物レンズにはポリオレフィンやアクリルなどの材料が使用されている。
【０００３】
以前より、光ディスクの透明層や光ピックアップの対物レンズに、白濁状の粒子が付着して透明層やレンズが白化するという現象が知られている。また、この付着物は大気中の硫酸アンモニウム（ＮＨ４）２ＳＯ４であると考えられる。
【０００４】
また、本願発明に関連しそうな従来技術として、光ディスクの耐湿性や表面強度を高めるのに光ディスクの表面に炭素を主成分とした皮膜を形成する技術（特許文献１）や、光ディスクとは別の分野において硫酸のアンモニウム塩を活性炭に吸着させる技術（特許文献２）が開示されている。
【特許文献１】特開平２−６４９３９号公報
【特許文献２】特開２０００−１５９９８５号公報
【発明の開示】
【発明が解決しようとする課題】
【０００５】
近年、光ディスクの記憶容量の増大に伴って、光ディスクの記録層に形成される記録マークは微小になってきており、今後さらに微小化の傾向が進むであろうことからも、光ディスクの透明層の白化が記録マークの形成や読出しに悪影響を与える度合いが高くなると予想される。
【０００６】
また、レンズの白化は、レンズの光透過率を低下させ光ディスクの記録面に照射されるレーザ光の強度を低下させるため、光ディスクに情報の記録や再生を行う際に悪影響を及ぼして記録再生不良を発生させる恐れがある。また、近年、記録型の光ディスクに記録マークを形成するスピードの高速化が求められ、それに伴って記録時に必要なレーザ強度も高くなってきており、今後さらに高い強度が求められるであろうことからも、レンズの白化が記録マークの形成に悪影響を与える度合いが高くなると予想される。
【０００７】
この発明の目的は、光ピックアップの対物レンズ等の光学部品の白化現象や装置内に放置された光ディスクの白化現象を抑制し、光ディスク装置の長寿命化と高信頼性を図ることにある。
【課題を解決するための手段】
【０００８】
本発明は、上記目的を達成するため、光ディスクを装置内に搬出入するローディング機構と、装置内に装着された光ディスクにレーザ光を照射して情報の記録または再生を行う光ピックアップ手段とを備えた光ディスク装置において、当該装置内の上記ローディング機構により光ディスクが装着される箇所の近傍に、大気中の硫酸アンモニウムを吸着する吸着剤が取り付けられている構成とした。
【０００９】
このような手段によれば、上記吸着剤により装置内の光ディスク周辺に漂う硫酸アンモニウムを吸着してその濃度を減らし、それにより、光ピックアップ手段の対物レンズやその他のレンズ、並びに装置内に放置された光ディスクの白化現象を抑制することができ、装置の高寿命化および高信頼性を図ることが出来る。
【００１０】
具体的には、上記吸着剤としては活性炭などの炭素系吸着剤を用いることが出来る。また、上記吸着剤は装置内の光ディスクが装着される空間の上側と側方に取り付けられると良い。また、上記吸着剤はシート状に成型して貼り付けるように構成すると装置内への取り付けも容易なものとなる。
【００１１】
また望ましくは、光ピックアップ手段の光ディスクの記録面にレーザ光を集束させる対物レンズの周囲近傍に上記吸着剤を取り付けると良い。これにより、対物レンズの白化現象をより抑制することが出来る。
【発明の効果】
【００１２】
以上説明したように、本発明に従うと、対物レンズなど光ピックアップに備わる各種レンズの白化現象を抑制し、装置の長寿命化を図ることが出来るという効果がある。
【００１３】
また、装置内に放置された光ディスクに対しても、その透明層の白化現象を抑制して光ディスクの劣化を防ぎ、装置の信頼性の向上を図ることが出来るという効果がある。
【発明を実施するための最良の形態】
【００１４】
以下、本発明の実施の形態を図面に基づいて説明する。
【００１５】
図１は、本発明の実施の形態の光ディスク装置のケース上枠部分を外した状態を示す分離斜視図である。
【００１６】
この実施の形態の光ディスク装置１は、例えば記録型ＤＶＤにテレビジョン映像を記録したりそれを再生したりするＤＶＤビデオレコーダであり、直方体形状の本体ケース１０の中に、テレビジョン放送電波から特定のテレビジョン信号を選択して復調する図示略のテレビチューナや、光ディスクが載置されるディスクトレイ２１を装置の内外に搬出入するディスクローディング機構２０、並びに、ディスクトレイ２１の下方からレーザ光を照射してデータの記録再生を行う光ピックアップ機構３０等が設けられている。
【００１７】
本体ケース１０は、例えば底面と前面パネル１０Ｂａおよび背面パネルとが一体的に形成された下枠１０Ｂと、上面と左右側面とが一体的に形成された上枠１０Ａとから構成され、両者が組み合わされて箱型のケースとなる。
【００１８】
ディスクローディング機構２０は、特に制限されるものではないが、光ディスクが挿入される前面扉２２と共にディスクトレイ２１を前面パネル１０Ｂａより前方へ排出させたり、それをもとの位置まで引き戻したりして光ディスクを出し入れする形式のものである。ディスクトレイ２１に載置された光ディスクは、ケース１０内に収容された後、下側のディスククランプ２３と図示しない上側のディスククランプとで光ディスクの中央部分が把持されて回転されるようになっている。図示しない上側のディスククランプは、ディスクトレイ２１を左右に跨ぐように設けられたブリッジに支持されている。ディスクトレイ２１はこのブリッジに一部が覆い被されるほかは、ケース１０内で開放された状態にある。
【００１９】
光ピックアップ機構３０は、図示しない半導体レーザから出射されたレーザ光を光ディスクの記録面に収束させてデータの記録再生を行うものであり、光ディスクに接する側にレーザ光を収束させる対物レンズ３１が露出されている。また、この対物レンズ３１や半導体レーザが取り付けられるブロック内に、レーザ光を平行光にするコリメータレンズや回折格子、並びに、反射光を検出する光センサ、光センサに光を収束させる収束レンズ、進行波と反射波を分離するビームスプリッタなど、種々の光学部品が組み込まれている。そして、このブロックがディスクトレイ２１に設けられた溝２１ａに沿って光ディスクの半径方向にスライド移動可能なようになっている。
【００２０】
図２には、光ピックアップ機構３０の対物レンズ３１の周辺構成の斜視図を示す。
【００２１】
光ピックアップ機構３０においては、回転する光ディスクの位置ブレに追従して光ディスクの記録再生の対象となっているデータトラックにレーザ光の焦点を合わせなければならないため、図２に示すように、対物レンズ３１を高速に垂直方向や水平方向に移動させる対物レンズアクチュエータ４０が備わっている。
【００２２】
対物レンズアクチュエータ４０は、特に制限されるものではないが、対物レンズ３１を保持するレンズホルダ４１と、このレンズホルダ４１を支持する４本のワイヤー４２，４２…と、レンズホルダ４１の側面に設けられた電磁コイル４３，４４…と、その外側に設置された永久磁石４５，４５等を備え、電磁コイル４３，４４…と永久磁石４５，４５の作用により、対物レンズ３１を駆動するようになっている。
【００２３】
本発明の実施の形態では、上記構成の光ディスク装置１において、本体ケース上枠１０Ａの上面内側と側面内側に、大気中の硫酸アンモニウムを吸着する炭素系吸着シート５Ａ，５Ｂが貼り付けられている（図１）。詳細には、ディスクトレイ２１が装置内に収容された状態で、上枠１０Ａにおけるディスクトレイ２１の上方の部分と側方の部分に炭素系吸着シート５Ａ，５Ｂが貼り付けられている。
【００２４】
また、図２に示すように、光ピックアップ機構３０の対物レンズ３１に周囲近傍にも炭素系吸着シート５Ｃが貼り付けられている。すなわち、レンズホルダ４１の上面の空き部分に炭素系吸着シート５Ｃが貼り付けられている。
【００２５】
以下、この炭素系吸着シート５Ａ〜５Ｃについて説明する。
【００２６】
この実施の形態の炭素系吸着シート５Ａ〜５Ｃは、活性炭など多孔質炭素材料を粉末状にした炭素系吸着剤を両面テープの一方に貼り付けたものである。多孔質炭素材料は、省資源と環境を配慮して、炭素前駆体に、石炭、やし殼、ピッチ系炭素繊維、廃棄イオン交換樹脂、又は、おからやビール廃材やコーヒー廃材などの食品廃棄物を用いて、この炭素前駆体を炭化させて形成すると良い。
【００２７】
また、この炭素前駆体の炭化時に温度や雰囲気ガス種を調整することで、多孔質炭素中に超微粒子のタングステン金属や炭化モリブデンを高分散させることができ、このように金属粒子や化合物が高分散された多孔質炭素材料を利用した炭素系吸着剤を用いることで、硫酸アンモニウムの吸着効率をさらに向上することも出来る。
【００２８】
その他、硫酸アンモニウムを吸着する吸着剤としては、ゼオライトやメソポアシリカなどの多孔質酸化シリコン材料を用いることも出来る。すなわち、このような材料を粉末にして両面テープの片面に貼り付けることで硫酸アンモニウムを吸着する吸着シートを形成することが出来る。
【００２９】
なお、炭素系吸着シート５Ａ〜５Ｃは、商品の組み立て時まではビニールシートなどで外気に触れないようにしておき、商品の組立て工程の最後にケース上枠１０Ａやレンズホルダ４１に貼られた炭素系吸着シート５Ａ〜５Ｃからビニールシートを剥がして組立てを完了し、その後、出荷されるようにすると良い。
【００３０】
以上のように、この実施の形態のディスク装置１によれば、光ディスクの装着箇所や対物レンズの周囲近傍に炭素系吸着シート５Ａ〜５Ｃが貼り付けられているので、これら吸着シート５Ａ〜５Ｃにその周囲の硫酸アンモニウムが吸着されて、これら硫酸アンモニウムが光ディスク表面や対物レンズ３１をはじめとする光ピックアップ機構３０の光学部品へ付着する量を低減させることが出来る。
【００３１】
従って、光学部品の白化現象を少なくして装置の寿命を延ばすことが出来るとともに、装置内に放置された光ディスクの白化現象も抑制して信頼性の向上を図ることが出来る。
【００３２】
なお、本発明は、上記実施の形態に限られるものではなく、様々な変更が可能である。例えば、吸着剤は、シート状でなく、ブロック形状にされたものを装置内に設置するようにしても良いし、また、その取付け箇所も実施の形態で示した箇所に制限されるものではない。例えば、ディスクトレイや光ピックアップ機構がケース１０内の空間に開放されずに何かに覆われているのであれば、この覆いの中に吸着剤を取り付けるようにすると良い。
【００３３】
その他、ディスクローディング機構の種類や光ピックアップ機構の対物レンズアクチュエータの構成など、本実施の形態で述べた細部構造等は様々なものに変更可能である。
【産業上の利用可能性】
【００３４】
この発明は、ＤＶＤビデオレコーダの他、ＤＶＤプレーヤ、ＣＤ（コンパクトディスク）プレーヤ、ＣＤやＤＶＤにデータの読み書きを行う光ディスクドライブ装置、青紫レーザ用の光ディスクに情報の記録再生を行うディスク装置、光磁気ディスクに情報の記録再生を行うディスク装置などに利用可能である。
【図面の簡単な説明】
【００３５】
【図１】本発明の実施の形態の光ディスク装置のケースの上枠部分を外した状態を示す分離斜視図である。
【図２】光ピックアップ機構における対物レンズの周辺構成を示す斜視図である。
【符号の説明】
【００３６】
１      光ディスク装置
５Ａ〜５Ｃ  炭素系吸着シート
１０    本体ケース
１０Ａ  上枠
１０Ｂ  下枠
２１    ディスクトレイ
３０    ピックアップ機構
３１    対物レンズ
４１    レンズホルダ
【図１】
2005174493.tif 000003
【図２】
2005174493.tif 000004